(57)【要約】【課題】利用者の前方及び後方の双方から光を明確に視認することができる首掛け照明装置を提供することである。【解決手段】利用者の首に掛けられた状態で、第１保持部１０が該利用者の胸の部分に位置するとともに、第２保持部２０が該利用者の首の後ろ側に位置するように、第１保持部１０と第２保持部２０とが配置され、第１保持部１０に設けられ、輪の外方に向けて光を照射する第１光源１５と、第２保持部２０に設けられ、前記輪の外方に向けて光を照射する第２光源２５ａ〜２５ｄと、第１保持部１０及び第２保持部２０の少なくとも一方に設けられ、第１光源１５及び第２光源２５〜２５ｄを点灯させる点灯駆動部とを有する構成となる。【選択図】図１
2014154531.tif 000002
【特許請求の範囲】
【請求項１】
第１保持部と、第２保持部と、該第１保持部と該第２保持部とを連結して輪を形成する連結部とを有し、
前記輪が利用者の首に掛けられた状態で、前記第１保持部が該利用者の胸の部分に位置するように前記第１保持部が前記輪において配置され、
前記第１保持部に設けられ、前記輪の外方に向けて光を照射する第１光源と、
前記第２保持部に設けられ、所定の動作を行う機能部と、
前記第１保持部及び前記第２保持部の少なくとも一方に設けられ、前記第１光源に対する電力供給により当該第１光源を点灯させる点灯駆動部と、
前記第１保持部及び前記第２保持部の少なくとも一方に設けられ、前記機能部に対する電力供給により当該機能部を動作させる駆動部と、
を有する首掛け照明装置。
【請求項２】
前記第２保持部は、前記輪が利用者の首に掛けられた状態で、当該利用者の首の後ろ側に位置するように前記輪において配置された請求項１記載の首掛け照明装置。
【請求項３】
前記機能部は、前記輪の外方に光を照射する第２光源を含む請求項２記載の首掛け照明装置。
【請求項４】
前記駆動部は、前記第２光源を点灯させる点灯駆動部として前記第１光源を点灯させる前記点灯駆動部に含まれる請求項２または３記載の首掛け照明装置。
【請求項５】
前記点灯駆動部は、前記第１光源及び前記第２光源の双方を点灯させる第１モードと、前記第１光源だけを点灯させる第２モードとを切り換えるスイッチ部を有する請求項４記載の首掛け照明装置。
【請求項６】
前記点灯駆動部は、前記第１モードにおいて、前記第２光源を繰り返し点滅させる請求項５記載の首掛け照明装置。
【請求項７】
前記スイッチ部は、前記第１保持部に設けられた請求項５または６記載の首掛け照明装置。
【請求項８】
前記スイッチ部は、プッシュスイッチであり、
該プッシュスイッチの操作部が、前記輪が前記利用者の首に掛けられた状態で、前記第１保持部の該利用者の胸の部分に対向する面側に配置されるように、前記第１保持部に設けられた請求項７記載の首掛け照明装置。
【請求項９】
前記点灯駆動部は、充電可能な電池と、該電池を充電する充電回路とを有する請求項１乃至７のいずれかに記載の首掛け照明装置。
【請求項１０】
前記充電可能な電池と、前記充電回路とは、前記第１保持部に設けられ、
前記第１保持部に設けられ、前記充電回路に充電用外部電源を接続するコネクタ端子を有する請求項９記載の首掛け照明装置。
【請求項１１】
前記第２の光源は、前記輪に沿って配列された複数の発光素子を有する請求項３乃至１０のいずれかに記載の首掛け照明装置。
【請求項１２】
前記機能部は、前記駆動部からの電力供給により、匂いを前記輪の外方に向けて放出する匂い放出機構を有する請求項１または２記載の首掛け照明装置。
【請求項１３】
前記機能部は、前記駆動部からの電力供給により、防虫剤を前記輪の外方に向けて放出する防虫剤放出機構を有する請求項１または２記載の首掛け照明装置。
【請求項１４】
前記機能部は、前記第２保持部において交換可能である請求項１乃至１３のいずれかに記載の首掛け照明装置。
【発明の詳細な説明】
【技術分野】
【０００１】
本発明は、利用者の首に掛けて利用される首掛け照明装置に関する。
【背景技術】
【０００２】
従来、特許文献１に記載される首掛け照明装置が知られている。この首掛け照明装置は、両端部が係止可能な首掛け用紐部の略中央部に、電池と照明用のＬＥＤと、スイッチとを収納した本体が設けられた構造となっている。このような首掛け照明装置は、首掛け用紐部の両端を利用者の首の後ろ側で係止させることで、本体が該利用者の胸の部分に位置した状態で、利用者の首に掛けることができる。この状態で、利用者の胸の部分に位置する本体のＬＥＤから照射される光によって、該利用者の手元を照明することができる。
【先行技術文献】
【特許文献】
【０００３】
【特許文献１】特開２００９−２０６００７号公報
【発明の概要】
【発明が解決しようとする課題】
【０００４】
しかしながら、前述した従来の首掛け照明装置は、利用者の首に掛けられた状態で、利用者の前方を照明することしかできない。例えば、夜間の散歩やジョギング等に利用され得るこの種の首掛け照明装置では、前方を照明するだけでなく、種々の機能が要望される。
【０００５】
本発明は、このような事情に鑑みてなされたもので、利用者の前方の照明だけでなく他の機能も発揮することのできる首掛け照明装置を提供するものである。
【課題を解決するための手段】
【０００６】
本発明に係る首掛け照明装置は、第１保持部と、第２保持部と、該第１保持部と該第２保持部とを連結して輪を形成する連結部とを有し、前記輪が利用者の首に掛けられた状態で、前記第１保持部が該利用者の胸の部分に位置するように前記第１保持部が前記輪において配置され、前記第１保持部に設けられ、前記輪の外方に向けて光を照射する第１光源と、前記第２保持部に設けられ、所定の動作を行う機能部と、前記第１保持部及び前記第２保持部の少なくとも一方に設けられ、前記第１光源に対する電力供給により当該第１光源を点灯させる点灯駆動部と、前記第１保持部及び前記第２保持部の少なくとも一方に設けられ、前記機能部に対する電力供給により当該機能部を動作させる駆動部とを有する構成となる。
【０００７】
このような構成により、利用者が輪形状の当該首掛け照明装置を首に掛けた状態で、該利用者の胸の部分に位置する第１保持部に設けられた第１光源が、点灯駆動部からの電力供給によって点灯して光を照射するするとともに、その第１保持部に連結部によって連結された第２保持部に設けられた機能部が、駆動部からの電力供給によって動作する。
【０００８】
本発明に係る首掛け照明装置において、前記第２保持部は、前記輪が利用者の首に掛けられた状態で、当該利用者の首の後ろ側に位置するように前記輪において配置された構成とすることができる。
【０００９】
このような構成により、利用者が輪形状の当該首掛け照明装置を首に掛けた状態で、第２保持部に設けられた機能部が当該利用者の首の後ろ側にて動作する。
【００１０】
本発明に係る首掛け照明装置において、前記機能部は、前記輪の外方に光を照射する第２光源を含む構成とすることができる。
【００１１】
このような構成により、利用者が輪形状の当該首掛け照明装置を首に掛けた状態で、利用者の胸の部分に位置する第１保持部に設けられた第１光源から光が照射されるとともに、該利用者の首の後ろ側に位置する第２保持部に設けられた第２光源から光が照射される。これにより、利用者の前方の視界を確保することができるとともに、後方からの車両の運転者等に対して当該利用者の存在を認知させることができる。
【００１２】
また、本発明に係る首掛け照明装置において、前記駆動部は、前記第２光源を点灯させる点灯駆動部として前記第１光源を点灯させる前記点灯駆動部に含まれる構成とすることができる。
【００１３】
このような構成により、第１光源を点灯させる点灯駆動部と第２光源を点灯させる点灯駆動部とが一体化されるので、部品点数の低減を図ることができる。
【００１４】
また、本発明に係る首掛け照明装置において、前記点灯駆動部は、前記第１光源及び前記第２光源の双方を点灯させる第１モードと、前記第１光源だけを点灯させる第２モードとを切り換えるスイッチ部を有する構成とすることができる。
【００１５】
このような構成により、利用者は、スイッチ部を操作することにより、利用者が当該首掛け照明装置（輪）を首に掛けた状態で、該利用者の胸の部分に位置する第１保持部に設けられた第１光源から光が照射されるとともに、該利用者の首の後ろ側に位置する第２保持部に設けられた第２光源から光が照射される、第１モードと、前記利用者の胸の部分に位置する第１保持部に設けられた第１光源だけから光が照射される、第２モードとを切り換えることができる。
【００１６】
更に、本発明に係る首掛け照明装置において、前記点灯駆動部は、前記第１モードにおいて、前記第２光源を繰り返し点滅させる構成とすることができる。
【００１７】
このような構成により、第１モードにおいて、利用者が当該首掛け照明装置（輪）を首に掛けた状態で、該利用者の首の後ろ側に位置する第２保持部に設けられた第２光源が繰り返し点滅するようになるので、利用者の後方からその第２光源からの光を視認し易くなる。
【００１８】
また、本発明に係る首掛け照明装置において、前記スイッチ部は、前記第１保持部に設けられた構成とすることができる。
【００１９】
このような構成により、利用者が当該首掛け照明装置（輪）を首に掛けた状態で、該利用者の胸の部分に位置する第１保持部にスイッチ部が設けられるので、利用者は、当該首掛け照明装置を首に掛けたまま、スイッチ部を容易に操作することができる。
【００２０】
更に、本発明に係る首掛け照明装置において、前記スイッチ部は、プッシュスイッチであり、該プッシュスイッチの操作部が、前記輪が前記利用者の首に掛けられた状態で、前記第１保持部の該利用者の胸の部分に対向する面側に配置されるように、前記第１保持部に設けられた構成とすることができる。
【００２１】
このような構成により、利用者が当該首掛け照明装置（輪）を首に掛けた状態で、該利用者の胸の部分に位置する第１保持部の該利用者の胸の部分に対向する面側に設けられた操作部を親指で押しつつ、当該第１保持部を親指と人差し指で挟むことにより、プッシュスイッチを容易に操作することができる。
【００２２】
また、本発明に係る首掛け照明装置において、前記点灯駆動部は、充電可能な電池と、該電池を充電する充電回路とを有する構成とすることができる。この場合、前記充電可能な電池と、前記充電回路とは、前記第１保持部に設けられ、前記第１保持部に設けられ、前記充電回路に充電用外部電源を接続するコネクタ端子を有する構成とすることが好ましい。
【００２３】
このような構成により、第１光源及び第２光源の電源となる電池の交換が不要になる。
【００２４】
本発明に係る首掛け照明装置において、前記第２の光源は、前記輪に沿って配列された複数の発光素子を有する構成とすることができる。
【００２５】
このような構成により、利用者が輪を首に掛けた状態で、該利用者の首の後ろ側に位置する第２保持部に設けられた第２光源を構成する複数の発光素子から光が照射されるので、該利用者の後方からその第２光源からの光をより視認し易くなる。
【００２６】
また、本発明に係る首掛け照明装置において、前記機能部は、前記駆動部からの電力供給により、匂いを前記輪の外方に向けて放出する匂い放出機構を有する構成とすることができる。
【００２７】
このような構成により、利用者が輪形状の当該首掛け照明装置を首に掛けた状態で、利用者の胸の部分に位置する第１保持部に設けられた第１光源から光が照射されるとともに、第２保持部に設けられた匂い放出機構（機能部）から匂いが放出される。これにより、利用者は、第１光源から照射される光によって前方の視界を確保することができるとともに、匂いを感じることができる。従って、利用者の気に入ったアロマ剤（芳香剤）等による匂いを放出させることにより、例えば、夜間の散歩やジョギング等においてその放出される匂いにより気分を良好に保つことができ、また、汗臭さを緩和させることもできる。
【００２８】
更に、本発明に係る首掛け照明装置において、前記機能部は、前記駆動部からの電力供給により、防虫剤を前記輪の外方に向けて放出する防虫剤放出機構を有する構成とすることができる。
【００２９】
このような構成により、利用者が輪形状の当該首掛け照明装置を首に掛けた状態で、利用者の胸の部分に位置する第１保持部に設けられた第１光源から光が照射されるとともに、第２保持部に設けられた防虫剤放出機構（機能部）から防虫剤が放出される。これにより、利用者は、例えば、夜間に野外で活動する際に、第１光源から照射される光によって前方の視界を確保することができるとともに、虫の寄り付きを防止することができる。
【００３０】
本発明に係る首掛け照明装置において、前記機能部は、前記第２保持部において交換可能である構成とすることができる。
【００３１】
このような構成により、機能部を種々交換することにより、第１光源から照射される光によって利用者の前方の視界を確保することができるとともに、種々の機能を利用することができる。
【発明の効果】
【００３２】
本発明に係る首掛け照明装置によれば、利用者が輪を首に掛けた状態で、該利用者の胸の部分に位置する第１保持部に設けられた第１光源から光が照射されるとともに、第２保持部に設けられた機能部が動作するので、利用者の前方の照明だけでなく他の機能も発揮することができる。
【図面の簡単な説明】
【００３３】
【図１】本発明の実施の形態に係る首掛け照明装置の全体構成を示す斜視図である。
【図２】図１に示す首掛け照明装置における第１保持部の表面側を拡大して示す斜視図である。
【図３】図１に示す首掛け照明装置における第１保持部の裏面側を拡大して示す斜視図である。
【図４】図１に示す首掛け照明装置における第２保持部を拡大して示す斜視図である。
【図５】図１に示す首掛け照明装置における点灯駆動部の構成を示す回路図である。
【図６】図１に示す首掛け照明装置の使用例を示す図である。
【図７】図１に示す首掛け照明装置の使用例を示す図である。
【図８】本発明の他の実施の形態に係る首掛け照明装置における第２保持部を拡大して示す斜静である。
【図９】図８に示す第２保持部を有する首掛け照明装置における駆動部の構成を示す図である。
【発明を実施するための形態】
【００３４】
本発明の実施の形態について図面を用いて説明する。
【００３５】
本発明の実施の一形態に係る首掛け照明装置は、図１〜図４に示すように構成される。
【００３６】
図１において、この首掛け照明装置１００は、第１保持部１０、第２保持部２０、第１連結紐状部３０ａ及び第２連結紐状部３０ｂを有している。第１保持部１０は、図１ともに図２及び図３に示すように、丸い形状のものを押し潰したような形で、略平面状の表面１０ａ（図２参照）と表面１０ａに対向する略平面状の裏面１０ｂ（図３参照）とを有している。第１連結紐状部３０ａと第２連結紐状部３０ｂとは、第１保持部１０の後端部から延びている。第１保持部１０、第１連結紐状部３０ａ及び第２連結紐状部３０ｂは、例えば、軟質の樹脂にて一体成型されている。第２保持部２０は、例えば、硬質の樹脂にて筒状に形成されている。第２保持部２０の一端部に第１保持部１０から延びる第１連結紐状部３０ａの端部が接続固定され、その他端部に第１保持部１０から延びる第２連結紐状部３０ｂの端部が接続固定されている。このようにして、第１保持部１０と第２保持部２０とが第１連結紐状部３０ａ及び第２連結紐状部３０ｂ（双方にて連結部が構成される）によって連結されて輪１１０が形成されている。その輪１１０内において、第１保持部１０と第２保持部とは対向するように配置される。
【００３７】
第１保持部１０は、内部が空洞な構造となっており、その空洞部分に発光ダイオード（ＬＥＤ）で構成された第１光源１５と、第１光源１５を点灯させる駆動回路を含む点灯駆動部（詳細は後述する）とが収納されている。第１図とともに図２及び図３に示すように、第１保持部１０の前方部には、裏面１０ｂ側に比べて表面１０ａ側により大きく回り込むように透明の窓部１１が嵌め込み固定されている。第１光源１５からの光は、窓部１１を通って第１保持部１０から輪１１０（図１参照）の外方に向けて照射される。また、図３に示すように、第１保持部１０の裏面１０ｂには、後述するプッシュスイッチに対応した操作領域１３が形成されている。更に、第１保持部１０の側部には、後述するコネクタ端子５０が露出する開口が形成され、その開口を取り外し可能に塞ぐ蓋部１２が設けられている。
【００３８】
円筒状の第２保持部２０は、内部が空洞な構造となっており、図１ともに図４に示すように、その空洞部分に第２光源としての４つの発光ダイオード２５ａ、２５ｂ、２５ｃ、２５ｄ（例えば、赤色のＬＥＤ）を収容している。４つの発光ダイオード２５ａ〜２５ｂは、第１連結紐状部３０ａ及び第２連結紐状部３０ｂが第１保持部１０及び第２保持部２０を連結することによって形成される輪１００（図１参照）に沿って略等間隔に配列されている。円筒状の第２保持部２０には、空洞部分に対応して透明の窓部２１が嵌め込み固定されている。４つの発光ダイオード２５ａ〜２５ｂの発光面が窓部２１に対向しており、それら４つの発光ダイオード２５ａ〜２５ｄからの光は、窓部２１を通って第２保持部２０から輪１１０の外方に向けて照射される。
【００３９】
前述したように第１保持部１０に収容される第１光源１５を点灯させる点灯駆動部及び第２保持部２０に収容される第２光源としての４つの発光ダイオード２５ａ〜２５ｄを点灯させる点灯駆動部は、図５に示すような回路構成となっている。
【００４０】
図５において、点灯駆動部は、充電回路５１、充電可能な電池５２、駆動回路５３、制御回路５４及びプッシュスイッチ５５（スイッチ部）を有している。充電回路５１の入力端は、第１保持部１０に形成された開口から露出するように設けられたコネクタ端子５０（図３参照）に接続され、その出力端は、電池５２に接続されている。コネクタ端子５０に直流給電装置（所謂、充電器）を接続することにより、充電回路５１が前記直流給電装置から給電されつつ電池５２を充電する。
【００４１】
駆動回路５３には、第１保持部１０に設けられた第１光源１５（発光ダイオード：図２参照）が抵抗器Ｒ１を介して接続されるとともに、第２光源として第２保持部２０に設けられた４つの発光ダイオード２５ａ〜２５ｄが並列的に抵抗器Ｒ２を介して接続されている。制御回路５４は、プッシュスイッチ５５の操作に従って、駆動回路５３を制御する。駆動回路５３は、制御回路５４の制御のもと、電池５２からの電力に基づいて第１光源１５に電流を供給して第１光源を点灯させる（第１光源１５のための点灯駆動部）。また、駆動回路５３は、制御回路５４の制御のもと、電池５２からの電力に基づいて第２光源としての４つの発光ダイオード２５ａ〜２５ｄに電流を供給して、当該４つの発光ダイオード２５ａ〜２５ｄを点灯させる（機能部としての第２光源のための駆動部としての点灯駆動部）。
【００４２】
例えば、プッシュスイッチ５５の１回の押し操作で、制御回路５４は、駆動回路５３を第１モードで制御し、その第１モードでの制御によって駆動回路５３は、第１光源１５を点灯させるとともに４つの発光ダイオード２５ａ〜２５ｄを所定周期にて点滅させる。また、例えば、第１モードでの制御がなされている際に、プッシュスイッチ５５が、更に１回、押し操作されると、制御回路５４は、駆動回路５４を第２モードで制御し、その第２モードでの制御によって駆動回路５３は、４つの発光ダイオード２５ａ〜２５ｄを消灯させ、第１光源１５の点灯状態を維持させる。更に、例えば、第２モードでの制御がなされている際に、プッシュスイッチ５５が、更に１回、押し操作されると、制御回路５４は、第１光源１５及び４つの発光ダイオード２５ａ〜２５ｄの全てが消灯するように駆動回路５３を制御する。
【００４３】
プッシュスイッチ５５の操作部５５ａは、第１保持部１０の内部の裏面１０ｂに形成された操作領域１３（図３参照）に対向するように設けられている。これにより、利用者は、第１保持部１０の裏面１０ｂの操作領域１３を押すことにより、プッシュスイッチ５５を操作することができる。
【００４４】
なお、第１保持部１０に設けられた駆動回路５３から第２保持部２０に設けられた４つの発光ダイオード２５ａ〜２５ｄまでの配線は、第１連結紐状部３０ａ及び／または第２連結紐状部３０ｂ内を通してなされる。
【００４５】
上述したような首掛け照明装置１００は、利用者が輪１１０（当該首掛け照明装置１００）を首に掛けた状態で、第１保持部１０が該利用者の胸の部分に位置するとともに、第２保持部２０が首の後ろ側に位置する。この状態で、第１保持部１０の裏面１０ｂが胸の部分に対向する。そして、利用者が、例えば、親指を第１保持部１０と胸の部分との間に差し込んで第１保持部１０の裏面１０ｂに形成された操作領域１３を押しつつ、第１保持部１０を親指と表面１０ａ側からの人差し指で挟むことにより、プッシュスイッチ５５の操作部５５ａが押される。これにより、第１保持部１０に設けられた第１光源１５が点灯するともに、第２保持部２０に第２光源として設けられた４つの発光ダイオード２５ａ〜２５ｄが所定の周期にて点滅を繰り返す（第１モード）。
【００４６】
利用者の胸の部分に位置する第１保持部１０の第１光源１５が点灯すると、窓部１１が第１保持部１０の表面１０ａ側に大きく入り込んでいるので、第１光源１５からの光は、例えば、図６に示すように、利用者の足元から更に僅かに前方を照らすことができる。これにより、利用者は、足元付近にある障害物の有無を確認しながら夜間にウォーキングやジョギング等をすることができる。また、利用者の前方から近づく車両の運転者は、第１保持部１０の第１光源１５から照射される光を視認することによって、その利用者の存在を知ることができる。
【００４７】
また、図７に示すように、ジョギングやウォーキング等を行う利用者の首の後ろ側に位置する第２保持部２０の４つの発光ダイオード２５ａ〜２５ｄが所定周期にて繰り返し点灯する（第１モード）と、利用者の後方から近づく車両の運転者は、発光ダイオード２５ａ〜２５ｄからの点滅する光を視認することにより、その利用者の存在を知ることができる。特に、４つの発光ダイオード２５ａ〜２５ｄが所定周期にて点滅を繰り返すので、その光を明確に認識することができる。
【００４８】
従って、前述した首掛け照明装置１００によれば、利用者が輪１１０を首に掛けた状態で、該利用者の胸の部分に位置する第１保持部１０に設けられた第１光源１５から光が照射されるとともに、該利用者の首の後ろ側に位置する第２保持部２０に設けられた第２光源としての４つの発光ダイオード２５ａ〜２５ｄから光が照射されるので、利用者は、自分の足元付近にある障害物の有無を確認することができるとともに、他の者は、その利用者の前方及び後方の双方から光を明確に視認することができるようになる。
【００４９】
例えば、利用者が止まって手作業を行う場合等、プッシュスイッチ５５の押し操作によって、第１保持部１０に設けられた第１光源１５の点灯を維持させつつ、首の後ろ側に位置する第２保持部２０に設けられた４つの発光ダイオード２５ａ〜２５ｄを消灯させる（第２モード）ことができる。この場合、第１保持部１０の第１光源１５によって利用者の手元を照らすことができるとともに、第２保持部２０に設けられた４つの発光ダイオード２５ａ〜２５ｄの無駄な点灯を防止することができる。
【００５０】
また、前述した首掛け照明装置１００によれば、利用者が当該首掛け照明装置１００（輪１１０）を首に掛けた状態で、該利用者の胸の部分に位置する第１保持部１０にプッシュスイッチ５０の操作部５５ａを操作する操作領域１３が形成されているので、利用者は、当該首掛け照明装置１００を首に掛けたまま、プッシュスイッチ５５を容易に操作することができる。
【００５１】
なお、図５に示す点灯駆動部（回路）の全てが第１保持部１０に収容される構成に限定されない。この点灯駆動部を第１保持部１０と第２保持部２０とに分けて収容する構成であっても、また、点灯駆動部の全てを第２保持部２０に収容する構成であっても、更に、第１連結紐状部３０ａ及び第２連結紐状部３０ｂの一部に点灯駆動部を収納する構成であてもよい。更に、第１光源１５のための点灯駆動部を第１保持部１０に、第２光源としての４つの発光ダイオード２５ａ〜２５ｂのための点灯駆動部を第２保持部２０に、それぞれ分けて設けることもできる。
【００５２】
また、４つの発光ダイオード２５ａ〜２５ｄにて第２光源を構成したが、これに限定されず、一又は複数の発光素子または照明具によって第２光源を構成することができる。
【００５３】
更に、第１光源１５及び第２光源（４つの発光ダイオード２５ａ〜２５ｄ）の点灯制御は、前述した第１モード及び第２モードに限定されない。例えば、第１光源１５及び第２光源を常時点灯させるようにしても、第２光源だけを点灯させるようにしても、第１光源１５を点滅させるようにしてもよい。
【００５４】
前述した実施の形態に係る首掛け照明装置は、第２保持部２０に光源（第２光源：発光ダイオード２５ａ〜２５ｄ）を機能部として設けるものであったが、これに限定されない。例えば、第２保持部２０に、アロマ剤（芳香剤）等の匂いの発生源及びその発生源からの匂いを放出されるファン（機能部としての匂い放出機構）を設けることもできる。
【００５５】
この場合、例えば、図８に示すように、円筒状の第２保持部２０に、カートリッジ２８が、公知の機構によって、着脱自在にセットされる。カートリッジ２８内には、アロマ剤（芳香剤）を含浸させた布等の匂いの発生源（アロマオイル等を含浸させた布等）と、小型のファンモータ２６（後述する図９参照）とによって構成される匂い放出機構が収容されている。そして、カートリッジ２８の壁面には、輪１１０の外方に向けて開放する複数の孔２８ａが形成されている。ファンモータ２６が作動することにより、匂いの発生源からの匂い（アロマ剤の匂い）がカートリッジ２８の複数の孔２８ａから外方に放出される。
【００５６】
ファンモータ２６（匂い放出機構）の駆動部は、例えば、図９に示すように、第１光源１５の点灯駆動部と一体的に構成される。
【００５７】
図９において、この点灯駆動部は、前述したもの（図５参照）と同様に、コネクタ端子５０が接続する充電回路５１、電池５２、駆動回路５３、制御回路５４及びプッシュスイッチ５５（操作部５５ａ）を有している。そして、プッシュスイッチ５５（操作部５５ａ）のプッシュ操作に従った制御回路５４の制御のもと、駆動回路５３が、電池５２からの電力に基づいて第１光源１５に電流を供給して第１光源１５を点灯させる。
【００５８】
この点灯駆動部（駆動部）は、駆動回路５３から延びる駆動電力ラインに接続される接点４０ａと接地ラインに接続される接点４０ｂとを有している。そして、カートリッジ２８が第２保持部２０に装着された状態で、カートリッジ２８に設けられたファンモータ２６の一方の端子に接続される接点４１ａが駆動電力ライン側の接点４０ａに電気的に接続されるとともに、ファンモータ２６の他方の端子に接続される接点４１ｂが接地ライン側の接点４０ｂに電気的に接続される。これにより、制御回路５４の制御のもと、駆動回路５３が、電池からの電力に基づいてファンモータ２６に電流を供給してファンモータ２６を駆動させる。
【００５９】
例えば、プッシュスイッチ５５が１回操作されると、制御回路５４の制御のもと、駆動回路５３からの第１光源１５への電力供給により第１の光源１５が点灯し、同時に駆動回路５３からのファンモータ２６への電力供給によりファンモータ２６が駆動する。プッシュスイッチ５５が更に１回操作されると、制御回路５４の制御のもと、駆動回路５３から第１光源１５への電力供給は維持される一方、ファンモータ２６への電力供給が遮断される。プッシュスイッチ５５がもう更に１回操作されると、制御回路５４の制御のもと、駆動回路５３から第１光源１５への電力供給が遮断される一方、駆動回路５３からファンモータ２６への電力供給が再開され、プッシュスイッチ５５がまた更に１回操作されると、制御回路５４の制御のもと、駆動回路５３から第１光源１５及びファンモータ２６双方への電力供給が遮断される。
【００６０】
このような首掛け照明装置１００では、利用者が当該首掛け照明装置１００（輪１１０）を首に掛けた状態でプッシュスイッチ５５を操作することにより、利用者の胸の部分に位置する第１保持部１０に設けられた第１光源１５から光が照射されるとともに、第２保持部２０にセットされたカートリッジ２８内の匂い放出機構（匂いの発生源及びファンモータ２６）によってカートリッジ２８の複数の孔２８ａから匂いが放出される。これにより、利用者は、夜間の散歩やジョギング等において、第１光源１５から照射される光によって前方の視界を確保することができるとともに、その放出されるアロマの匂い（香り）により気分を良好に保つことができ、また、汗臭さを緩和させることもできる。
【００６１】
前述した例では、カートリッジ２８内に匂い放出機構（アロマ剤による匂いの発生源及びファンモータ２６）を設けるものであったが、この匂い放出機構に代えて、カートリッジ２８内に駆動部（図９参照）からの電力供給により防虫剤を放出する防虫剤放出機構を設けることもできる。この場合、利用者が当該首掛け照明装置１００（輪１１０）を首に掛けた状態でプッシュスイッチ５５を操作することにより、利用者の胸の部分に位置する第１保持部１０に設けられた第１光源１５から光が照射されるとともに、第２保持部２０にセットされたカートリッジ２８内の防虫剤放出機構から防虫剤が放出される。これにより、利用者は、例えば、夜間に野外で活動する際に、第１光源１５から照射される光によって前方の視界を確保することができるとともに、虫の寄り付きを防止することができる。
【００６２】
前述した例では、第２保持部２０は、利用者が当該首掛け照明装置１００（輪１１０）を首に掛けた状態で、当該利用者の首の後ろ側に位置するものであったが、これに限定されない。第２保持部２０を、第１連結紐状部３０ａ及び第２連結紐状部３０ｂの任意の位置に設けることができる。第２保持部２０に設けられる機能部の機能に適した位置にその第２保持部２０が配置されることが好ましい。
【００６３】
第２保持部２０に設けられるべき機能部は、前述した第２光源としての発光素子２５ａ〜２５ｄ、匂い放出機構及び防虫剤放出機構に限定されない。
【産業上の利用可能性】
【００６４】
以上、本発明に係る首掛け照明装置は、利用者の前方の照明だけでなく他の機能も発揮することができるという効果を有し、利用者の首に掛けて利用される照明装置として有用である。
【符号の説明】
【００６５】
１０  第１保持部
１０ａ  表面
１０ｂ  裏面
１１  窓部
１２  蓋部
１３  操作領域
１５  第１光源
２０  第２保持部
２１  窓部
２５ａ〜２５ｄ  発光ダイオード（第２光源）
２６  ファンモータ
２８  カートリッジ
３０ａ  第１連結紐状部
３０ｂ  第２連結紐状部
４０ａ、４０ｂ、４１ａ、４１ｂ  接点
５０  コネクタ端末
５１  充電回路
５２  電池
５３  駆動回路
５４  制御回路
５５  プッシュスイッチ
５５ａ  操作部
１００  首掛け照明装置
１１０  輪
【図１】
2014154531.tif 000003
【図２】
2014154531.tif 000004
【図３】
2014154531.tif 000005
【図４】
2014154531.tif 000006
【図５】
2014154531.tif 000007
【図６】
2014154531.tif 000008
【図７】
2014154531.tif 000009
【図８】
2014154531.tif 000010
【図９】
2014154531.tif 000011